(57)【特許請求の範囲】
【請求項１】
下面が開口された器具本体と、両側に張出しフランジを有して前記器具本体内に取付けられる内側反射板とを備える照明器具の包装に用いられ、前記内側反射板を保護する照明器具用包装部品において、
前記包装部品は、折曲げ可能な一枚の包装用板材からなるとともに、前記内側反射板の裏側に配置される中央板部と、この中央板部の両端に設けられた一対の端板部とを備え、
前記中央板部がその両端から前記端板部に喰い込むように突出されるとともに前記張出しフランジより突出するフランジ重なり部を有し、
前記端板部は、前記フランジ重なり部の先端に形成した折曲げ線と前記フランジ重なり部の根元部から前記包装用板材の側縁にわたるＬ字形の切込み線とで区画されて、前記折曲げ線に沿って折曲げ可能に設けられ、
かつ、前記端板部が前記フランジ重なり部の側方位置で前記張出しフランジを押えるフランジ押え部を有しており、
前記器具本体との連結が解除された状態の前記内側反射板とともに前記器具本体内に収納され、前記フランジ重なり部と前記フランジ押え部とで前記張出しフランジを挟み込むとともに前記端板部の前記フランジ押え部側と反対側の端部が前記器具本体の両反射側板内面に当接して装着されることを特徴とする照明器具用包装部品。
【発明の詳細な説明】
【０００１】
【発明の属する技術分野】
本発明は、例えば、天井などに埋込み設置される照明器具の略直方体状をした照明器具本体内に取付けられる内側反射板を前記照明器具の包装に際して保護するために使用される照明器具用包装部品に関する。
【０００２】
【従来の技術】
従来、照明器具の器具本体内に取付けられるＶカバーと称される内側反射板を保護する照明器具用包装部品は、図５に示すものが一般に知られている。
【０００３】
Ｖカバー１０を保護する照明器具用包装部品としての支え板１５は、一枚の矩形状をした段ボール板材をコ字状に折曲げ形成してなり、底面壁１６と、この底面壁１６の両端に形成された折曲げ線１８，１８に沿って直角に折曲げられ中央にＶカバー１０と略同一形状の係合凹部１９を有する一対の立上り壁１７，１７とから形成している。この支え板１５は、例えば、Ｖカバー１０の中央および両端側にそれぞれ装着して３個使用される。各支え板１５の両端は、下面開口３を有した器具本体２の両反射側板４，４の内面に当接して取付けられ、それによってＶカバー１０を器具本体２内に動き止めしてＶカバー１０を保護するものである。
【０００４】
【発明が解決しようとする課題】
上記のように従来の照明器具用包装部品としての支え板１５は、一枚の段ボール板材を折曲げ線に沿って略コ字状に折曲げ形成していることから、器具本体２の両反射側板４、４の内面間にわたる３つの板部が必要であり、使用材料が多い。そのため、包装コストが高いとともに、使用後、包装部品の廃棄量も多いという問題があった。
【０００５】
また、従来は器具本体２にＶカバー１０を組付けた状態で包装しているため、照明器具を天井等に取付け施工する現場では、包装を解く作業の他にＶカバー１０を器具本体２から取外す手間を余儀なくされている。
【０００６】
本発明が解決しょうとする課題は、内側反射板を確実に保護できることは勿論のこと、包装コスト及び包装廃材を低減できるとともに、照明器具の取付け施工性の向上にも役立つ照明器具用包装部品を提供することにある。
【０００７】
【課題を解決するための手段】
請求項１に記載の照明器具用包装部品の発明は、下面が開口された器具本体と、両側に張出しフランジを有して前記器具本体内に取付けられる内側反射板とを備える照明器具の包装に用いられ、前記内側反射板を保護する照明器具用包装部品において、前記包装部品は、折曲げ可能な一枚の包装用板材からなるとともに、前記内側反射板の裏側に配置される中央板部と、この中央板部の両端に設けられた一対の端板部とを備え、前記中央板部がその両端から前記端板部に喰い込むように突出されるとともに前記張出しフランジより突出するフランジ重なり部を有し、前記端板部は、前記フランジ重なり部の先端に形成した折曲げ線と前記フランジ重なり部の根元部から前記包装用板材の側縁にわたるＬ字形の切込み線とで区画されて、前記折曲げ線に沿って折曲げ可能に設けられ、かつ、前記端板部が前記フランジ重なり部の側方位置で前記張出しフランジを押えるフランジ押え部を有しており、前記器具本体との連結が解除された状態の前記内側反射板とともに前記器具本体内に収納され、前記フランジ重なり部と前記フランジ押え部とで前記張出しフランジを挟み込むとともに前記端板部の前記フランジ押え部側と反対側の端部が前記器具本体の両反射側板内面に当接して装着されることを特徴とするものである。
【０００８】
本発明および以下の各説明において、特に言及しない限り用語の定義および技術的意味は次のとおりとする。
【０００９】
包装部品の端板部が有するフランジ押え部は、「発明の実施の形態」の項では後述のように、包装用板材の幅方向両側に２個形成したことで説明したが、包装用板材の幅方向中央部又は片側１個所に形成したものでもよい。また、包装用板材は、段ボール材又はボール紙等の厚紙を使用してもよいし、折曲げ可能なプラスチック板材を使用するもの、若しくはこれらの複合材であってもよい。
【００１０】
本発明の包装部品の中央板部は、内側反射板の裏面において、内側反射板の張出しフランジ間にわたって配置され、この配置により中央板部がその両端に有したフランジ重なり部は、張出しフランジよりも外側に突出する。そして、包装部品の端板部は、それぞれ前記中央板部から折り曲げられて、そのフランジ押え部との間に前記張出しフランジを前記端板部とで挟むように配置され、それにより、包装部品は内側反射板をその裏面側から両張出しフランジの表面側にわたって抱えるように装着される。
【００１１】
このような包装状態において、包装部品は内側反射板とともに、下面開口の器具本体内に収納される。この収納により、両端板部のフランジ重なり部と反対側の端部が、それぞれ器具本体の両反射側板の内面に接触するように配置されるので、本発明の包装部品は、器具本体内に、この本体の幅方向に動かないように配置され、内側反射板を保護する。
【００１２】
そして、本発明の包装部品は、前記のように略平板状の包装姿勢で内側反射板を器具本体内に動かないように保護するから、この包装のために必要とする一枚の包装板材の使用量を、コ字状に折曲げたものに比較して少なくできる。
【００１３】
しかも、この包装部品は、器具本体との連結を解除した状態の内側反射板を前記のように包装するので、照明器具の取付け施工現場において、器具本体に対する内側反射板の連結を解除する手間を要しない。
【００１４】
【発明の実施の形態】
以下、本発明の実施の形態に係る照明器具用包装部品について図１〜図４を参照して説明する。
【００１５】
図４は照明器具用包装部品が装着される埋込み形照明器具の外観を示す斜視図で、この照明器具１は、下面が開口された（下面開口を符号３で示す）略直方体状をなす器具本体２と、この器具本体内の幅方向中央に長手方向に沿って配置される断面形状が略Ｖ字形をなすＶカバー１０とを備えている。器具本体２は、長尺状で平坦面をなす天板５と、この天板５の両側縁から略ハの字状に拡開し相反する方向に傾斜する一対の反射側板４，４と、長手方向両端に夫々天板５および反射側板４，４にわたって設けられた一対の端板６，６とから形成している。さらに、器具本体２の天板５には、図３（Ａ）（Ｂ）に示すように、下面開口３側に向けて山形状に突出し、かつ、互いに平行な突条７，７が長手方向に沿って形成されている。天板５のＶカバー１０で覆われる位置には取付孔（図示しない）があって、この取付孔を利用して器具本体２が天井等に埋込み設置される。
【００１６】
器具本体２内に配置されたＶカバー１０と器具本体２の側板４，４との間に配置される直管形蛍光ランプ（図示せず）が着脱自在に装着されるランプソケット２５，２５が、それぞれ器具本体２の端板６，６内面側に配置されている。さらに、器具本体２の天板５の中央には、前記ランプを点灯させる安定器２６や端子台（図示せず）などが取付けられ、Ｖカバー１０で覆い隠される。
【００１７】
内側反射板としてのＶカバー１０は、図２（Ｃ）などに示すように、断面形状が略Ｖ字形をなすＶカバー主部１１と、このＶカバー主部１１の両側縁に、それぞれ垂直状に折曲げられた立ち上げ面部１２，１２と、これら立ち上げ面部１２，１２から外方に向けて直角にそれぞれ折曲げ形成された張出しフランジとしての水平面部１３，１３とから構成している。Ｖカバー１０は、その水平面部１３，１３の一部に形成した係止舌片１３ａを、天板５の内面に突出して形成した舌片受部１４内に、Ｖカバー１０の弾性を利用して着脱可能に嵌入させることで器具本体２の内側に取付けられる。
【００１８】
図１は、本発明の第１の実施の形態に係る照明器具用包装部品を示す展開図で、この包装部品３０は、一枚の矩形状をなす包装用板材としての段ボール板材で形成され、中央板部として略矩形状に形成された載置板３１と、この載置板３１の両端に形成された端板部としての一対の振れ止め板３５，３５とから形成している。
【００１９】
載置板３１の両端中央には、振れ止め板３５，３５にそれぞれ喰い込むように矩形状に突出するフランジ重なり部としての矩形状突出部３１ａが形成されている。この突出部３１ａの両側縁およびこれら矩形状突出部３１ａの根元部３２，３２から段ボール板材の側縁にわたり左右一対のＬ字形の切込み線４０が形成されている。さらに、矩形状突出部３１ａの先端と振れ止め板３５との境界に折曲げ線４１が形成されている。また、振れ止め板３５の載置板３１の側の一部、つまり、矩形状突出部３１ａの両側部分には、矩形状突出部３１ａの突出幅と同じ突出幅のフランジ押え部としての突出係止部３５ａ，３５ａをそれぞれ形成している。
【００２０】
さらに、載置板３１の両側には、器具本体の天板５に平行に突出形成されている突条７，７を逃げる曲げを形成するための２本の半カット線４２，４２が平行にそれぞれ形成している。図中のＡ部は段ボール板材の中芯厚紙の段が伸びる方向を示している。
【００２１】
つぎに、包装部品３０をＶカバー１０に装着する方法および包装部品３０を装着したＶカバー１０を器具本体２に取り付ける方法を図２および図３を参照して説明する。
【００２２】
まず、図２（Ａ）に示すように、展開状態の包装部品３０の長手方向両側の一対の振れ止め板３５，３５を折曲げ線４１，４１に沿って下方に向けて９０度折曲げて、図２（Ｂ）に示すように、載置板３１の両側に振れ止め板３５の突出係止部３５ａを上方に向けて垂直状に突出させる。この時、両振れ止め板３５の対向面間の距離はＶカバー１０の幅に略等しくなる。
【００２３】
つぎに、図２（Ｃ）に示すように、Ｖカバー１０の裏側に載置板３１を配置するとともに、このカバー１０の両側に形成された水平面部１３，１３を載置板３１の矩形状突出部３１ａ，３１ａ上に載置する。
【００２４】
最後に、振れ止め板３５，３５を図２（Ｃ）中矢印に示す方向に戻して略水平状態になるまで折曲げることにより、図２（Ｄ）に示すように、Ｖカバー１０の水平面部１３，１３を載置板３１と振れ止め板３５の突出係止部３５ａ，３５ａとで挟み込んで、包装部品３０をＶカバー１０にこのＶカバー１０の裏面側から抱持するように装着する。なお、包装部品３０は、図４に示すように、複数例えば２個使用する。また、載置板３１の両側に平行に形成された２本の半カット線４２，４２間を上向きに押圧して、図２（Ａ）に示すように、下面が開放された溝状係合凹部４５，４５がそれぞれ形成される。
【００２５】
前記手順で包装部品３０，３０を両端部に装着したＶカバー１０を器具本体２の下面開口３から入れると、図３（Ｂ）に示すように、載置板３１に形成した溝状係合凹部４５，４５が器具本体２の天板５に突出形成した突条７，７に係合した状態で器具本体２内に収納される。この収納により、振れ止め板の端部３７，３７がそれぞれ器具本体２の両反射側板４の内面に当接される。なお、この場合、図３（Ｂ）に示すように、天板５と反射側板４とがなすコーナー部に端部３７を夫々当接させてより確実に包装部品３０及びＶカバー１０を器具本体２内に装着することが望ましい。
【００２６】
前記構成の包装部品３０は、図３（Ｂ）に示すような略平板状で使用されて、Ｖカバー１０を器具本体２の幅方向に動かないように保護するから、包装のために必要な一枚の段ボール板材の使用量を少なくできる。そのため、包装コストを低減できるとともに、使用後に廃材とするときも、その量を少なくできる。さらに、包装部品３０は器具本体２との連結を解除した状態のＶカバー１０を前記のように包装するので、照明器具の取付け施工現場において、器具本体２に対するＶカバー１０の連結を解除する手間を要しない。したがって、前記現場での解梱から器具の取付け施工に至る段取りを短くでき、施工性を向上できる。しかも、Ｖカバー１０に対して包装部品３０は、Ｖカバー１０の水平面部１３を上下から挟むだけでなく、この水平面部１３の先端が突出係止部３５ａで覆われているから、裏側から抱えるような包装姿勢が弛むことが少なく、包装姿勢を保持する性能が高い。したがって、輸送中における包装不良の発生が防止できる。なお、図５のものは、単に、凹部をＶカバーに嵌めているだけであるから、包装姿勢を保持する性能が低いものである。
【００２７】
【発明の効果】
本発明の包装部品は、下面が開口された器具本体と、両側に張出しフランジを有して前記器具本体内に取付けられる内側反射板とを備える照明器具の包装に用いられ、前記内側反射板を保護する照明器具用包装部品において、前記包装部品は、折曲げ可能な一枚の包装用板材からなるとともに、前記内側反射板の裏側に配置される中央板部と、この中央板部の両端に設けられた一対の端板部とを備え、前記中央板部がその両端から前記端板部に喰い込むように突出されるとともに前記張出しフランジより突出するフランジ重なり部を有して、前記端板部は、前記フランジ重なり部の先端に形成した折曲げ線と前記フランジ重なり部の根元部から前記包装用板材の側縁にわたるＬ字形の切込み線とで区画されて、前記折曲げ線に沿って折曲げ可能に設けられ、かつ、前記端板部が前記フランジ重なり部の側方位置で前記張出しフランジを押えるフランジ押え部を有しており、前記器具本体との連結が解除された状態の前記内側反射板とともに前記器具本体内に収納され、前記フランジ重なり部と前記フランジ押え部とで前記張出しフランジを挟み込むとともに前記端板部の前記フランジ押え部側と反対側の端部が前記器具本体の両反射側板内面に当接して装着されることを特徴とする。したがって、本発明によれば、平板状の姿勢で内側反射板を器具本体内に包装できるから、確実に内側反射板を保護できることは勿論のこと、この包装部品を作るのに必要な包装用板材の使用量が少なくなることから、包装コストを低減できるとともに、照明器具の取付け施工現場などで廃棄される包装用板材の量も低減することができ、しかも、前記施工現場では、器具本体から内側反射板の連結を解除する手間を要しないので、器具の取付け施工性を向上できる。
【図面の簡単な説明】
【図１】本発明の一実施形態に係る照明器具用包装部品を示す展開図。
【図２】同一実施形態に係る包装部品のＶカバーへの装着手順を示すもので、
（Ａ）は展開した包装部品を示す斜視図。
（Ｂ）は略コ字状に折曲げ形成した包装部品を示す斜視図。
（Ｃ）は図２（Ｂ）の包装部品の載置板上に載置したＶカバーを示す斜視図。
（Ｄ）は包装部品を装着したＶカバーを示す斜視図。
【図３】同一実施形態に係る包装部品をＶカバーに装着し、器具本体内に入れた状態を示すもので、
（Ａ）は上面図。
（Ｂ）は図３（Ａ）中Ａ−Ａ線に沿って示す側面断面図。
【図４】同一実施形態に係る包装部品を装着した照明器具を示す斜視図。
【図５】従来の包装部品としての支え板を装着した照明器具を示す斜視図。
【符号の説明】
２…器具本体，３…下面開口，４…器具本体の反射側板，１０…Ｖカバー（内側反射板），１３…水平面部（張出しフランジ），３０…包装部品，３１…載置板（中央板部），３１ａ…載置板の矩形状突出部（フランジ重なり部），３５…振れ止め板（端板部），３５ａ…振れ止め板の突出係止部（フランジ押え部），３７…振れ止め板の端部，４０…折込み線，４１…折曲げ線。
【図１】
0003945069.tif 000002
【図２】
0003945069.tif 000003
【図３】
0003945069.tif 000004
【図４】
0003945069.tif 000005
【図５】
0003945069.tif 000006